(57)【要約】      （修正有）【課題】スマートフォン等の小型情報端末の持ち運びに好適なタッチパネル機器携帯用ポーチであって、小型情報端末をポーチに収納した状態で視認及び操作が可能で、かつ、小型情報端末のタッチパネル部を損傷及び汚れから保護することができるタッチパネル機器携帯用ポーチを提供する。【解決手段】ポーチの側面及び／又は底面にポーチの外側から内部を視認可能な収納部４を有するポーチであって、収納部４には、タッチパネル機器が、タッチパネル機器のタッチパネル部が視認可能に収納され、ポーチの外側から収納部に収納されたタッチパネル部の操作が可能である。【選択図】図１
0003185032.tif 000002
【実用新案登録請求の範囲】
【請求項１】
ポーチの側面及び／又は底面に前記ポーチの外側から内部を視認可能な収納部を有するポーチであって、
前記収納部には、タッチパネル機器が、前記タッチパネル機器のタッチパネル部が視認可能に収納され、
前記ポーチの外側から前記収納部に収納された前記タッチパネル部の操作が可能であること、
を特徴とするタッチパネル機器携帯用ポーチ。
【請求項２】
前記タッチパネル機器がスマートフォンであること、
を特徴とする請求項１に記載のタッチパネル機器携帯用ポーチ。
【請求項３】
前記収納部の大きさが前記タッチパネル機器の前記タッチパネル部の大きさと略同一であること、
を特徴とする請求項１又は２のいずれかに記載のタッチパネル機器携帯用ポーチ。
【考案の詳細な説明】
【技術分野】
【０００１】
本考案は、タッチパネル機器携帯用ポーチに関し、特に、スマートフォン等の小型情報端末の持ち運びに好適に用いることができるタッチパネル機器携帯用ポーチに関する。
【背景技術】
【０００２】
携帯電話及びＰＤＡ等の情報端末は携帯性の向上を目的として小型化が進んでいるが、衣服のポケット等に収納して携帯するのが困難な場合が存在する。特に、衣服に十分な大きさのポケット等が備わっていない場合、ポーチ等に入れて持ち運びするのが一般的である。
【０００３】
しかしながら、ポーチ等に収納した状態では情報端末を視認及び操作することが困難であり、必要に応じて当該情報端末をポーチ等から取り出す必要がある。近年ではタッチパネルを備え、当該タッチパネルに種々の情報を表示できる高機能なスマートフォンが普及しているが、ポーチ等に収納された状態ではスマートフォンの機能を十分に享受することができない。
【０００４】
これに対し、特許文献１（特開平８−２１４９２８号公報）では、携帯電話を収納して持ち運ぶセカンドバッグの底面もしくは側面に、携帯電話を入れるポケットを設け、ポケットの一部をセカンドバッグの外部に開口した携帯電話持ち運び用のセカンドバッグが提案されている。
【０００５】
前記特許文献１の携帯電話持ち運び用のセカンドバックにおいては、セカンドバッグのふたを開けることなく、セカンドバッグごと持ったままで、電話交信に必要な操作及び応答をすることができるとしている。
【０００６】
また、特許文献２（特開２０１２−４３３６９号公報）では、表示面上にタッチパネルが配置されたタッチパネル付き表示装置を収納する本体と、透過性を有して前記本体を構成し、前記本体の外側からの前記タッチパネルに対する操作を可能に前記タッチパネルに対して積層されるタッチパネル保護壁部と、を備える表示装置用カバーが提案されている。
【０００７】
前記特許文献２の表示装置用カバーにおいては、当該表示装置用カバーをタッチパネル付き表示装置に取り付けることで、当該タッチパネル付き表示装置に埃や油分等の異物が付着するのを抑制することができるとしている。
【先行技術文献】
【特許文献】
【０００８】
【特許文献１】特開平８−２１４９２８号公報
【特許文献２】特開２０１２−４３３６９号公報
【考案の概要】
【考案が解決しようとする課題】
【０００９】
しかしながら、上記特許文献１において提案されている携帯電話持ち運び用のセカンドバッグはプッシュボタン式の携帯電話を想定して発明されたものであり、タッチパネルを備えた情報端末に用いることは困難である。
【００１０】
つまり、タッチパネルはプッシュボタン式の操作部と比較して非常に繊細であり、擦り傷等の損傷が生じやすい。また、汚れの付着に対しても十分に注意する必要がある。
【００１１】
また、上記特許文献２において提案されている表示装置用カバーはタッチパネルを有する各種情報端末に適用可能であるが、情報端末の携帯性を向上させるものではない。
【００１２】
そこで、本考案は、スマートフォン等の小型情報端末の持ち運びに好適に用いることができるタッチパネル機器携帯用ポーチであって、小型情報端末をポーチに収納した状態で視認及び操作可能であり、かつ、小型情報端末のタッチパネル部を損傷及び汚れから保護することができるタッチパネル機器携帯用ポーチの提供を目的とする。
【課題を解決するための手段】
【００１３】
上述した課題を解決すべく、本考案は、ポーチの側面及び／又は底面に前記ポーチの外側から内部を視認可能な収納部を有するポーチであって、前記収納部には、タッチパネル機器が、前記タッチパネル機器のタッチパネル部が視認可能に収納され、前記ポーチの外側から前記収納部に収納された前記タッチパネル部の操作が可能であること、を特徴とするタッチパネル機器携帯用ポーチを提供する。
【００１４】
上記のような構成を有する本考案のタッチパネル機器携帯用ポーチでは、前記タッチパネル機器がスマートフォンであること、が好ましい。
【００１５】
また、上記のような構成を有する本考案のタッチパネル機器携帯用ポーチでは、前記収納部の大きさが前記タッチパネル機器のタッチパネル部（表示部）の大きさと略同一であること、が好ましい。
【００１６】
更に、上記のような構成を有する本考案のタッチパネル機器携帯用ポーチでは、前記収納部の外側が透明性を有するポリ塩化ビニル製であること、が好ましい。
【考案の効果】
【００１７】
上記本考案のタッチパネル機器携帯用ポーチを用いることにより、当該タッチパネル機器携帯用ポーチにスマートフォン等の小型情報端末を収納した状態で、当該タッチパネル機器携帯用ポーチの外側から当該小型情報端末のタッチパネルを視認及び操作することができる。加えて、タッチパネル部はタッチパネル機器携帯用ポーチによって損傷及び汚れから保護される。
【００１８】
したがって、本考案のタッチパネル機器携帯用ポーチは、収納したタッチパネル機器のタッチパネル部の時計を視認したり、当該タッチパネル部を操作したりできるため、例えば、ＯＬがランチタイムにスマートフォン及び財布を持って出かける場合や、旅行者がスマートフォン、財布及びパスポートを持って出かける場合に、好適に使用することができる。
【図面の簡単な説明】
【００１９】
【図１】本考案の第一の実施形態に係るタッチパネル機器携帯用ポーチの正面図である。
【図２】本考案の第一の実施形態に係るタッチパネル機器携帯用ポーチの側面図である。
【図３】本考案の第二の実施形態に係るタッチパネル機器携帯用ポーチの正面図である。
【図４】本考案の第二の実施形態に係るタッチパネル機器携帯用ポーチの底面図である。
【図５】本考案の第三の実施形態に係るタッチパネル機器携帯用ポーチの正面図である。
【図６】本考案の第三の実施形態に係るタッチパネル機器携帯用ポーチの側面図である。
【図７】本考案の第一の実施形態に係るタッチパネル機器携帯用ポーチの一実施例の写真である。
【図８】本考案の第一の実施形態に係るタッチパネル機器携帯用ポーチの一実施例の別の写真である。
【考案を実施するための形態】
【００２０】
以下、本考案の代表的な実施形態に係るタッチパネル機器携帯用ポーチについて、図面を参照しつつ詳細に説明するが、本考案の画像表示端末が図示されるものに限られないことはいうまでもない。
【００２１】
また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００２２】
図１及び図２に、本考案の第一の実施形態に係るタッチパネル機器携帯用ポーチの正面図と側面図とをそれぞれ示す。タッチパネル機器携帯用ポーチ１は本体部２と、タッチパネル機器収納部４と、透明部６とを有し、必要に応じて手提げ部８を備えている。
【００２３】
本考案の第一の実施形態においては、タッチパネル機器収納部４が本体部２の正面外側に設けられており、タッチパネル機器収納部４の外側の一部が透明部６となっている。ここで、透明部６はタッチパネル機器収納部４にタッチパネル機器を収納した状態で、当該タッチパネル機器のタッチパネルをタッチパネル機器携帯用ポーチ１の外側から確認できる位置及び大きさで設けられていればよい。
【００２４】
タッチパネル機器収納部４はタッチパネル機器携帯用ポーチ１の内部を仕切る態様で設けられてもよく、タッチパネル機器携帯用ポーチ２の外側に取り付ける態様で設けられてもよい。
【００２５】
タッチパネル機器収納部４の形状及び大きさは、目的とするタッチパネル機器を収納できれば特に限定されないが、タッチパネル機器のタッチパネル部が透明部６の位置から大きく動かないように、タッチパネル機器収納部４の大きさがタッチパネル機器の大きさと略同一であることが好ましい。また、タッチパネル機器をタッチパネル機器収納部４に収納した状態で、透明部６がタッチパネル部に位置することが好ましい。
【００２６】
タッチパネル機器携帯用ポーチ１を用いることができるタッチパネル機器は特に限定されず、種々の小型情報端末を対象とすることができるが、スマートフォンを用いることが好ましい。
【００２７】
透明部６には透明部６の上からタッチパネル機器のタッチパネル操作を円滑に行うことができる透明性を有する材料を用いればよく、例えば、ＰＥＴ（ポリエチレンテレフタレート）、ポリ塩化ビニル等の透明性を有する軟質合成樹脂を用いることができるが、ポリ塩化ビニルを用いることが好ましい。
【００２８】
タッチパネル機器の携帯にタッチパネル機器携帯用ポーチ１を用いることで、タッチパネル機器携帯用ポーチ１にタッチパネル機器を収納した状態で当該タッチパネル機器のタッチパネルを視認及び操作することができるだけでなく、当該タッチパネルは透明部６によって損傷や汚れから保護される。
【００２９】
また、タッチパネル機器としてスマートフォンを用いた場合、透明部６を介しても十分に音声等を伝達することが可能であり、スマートフォンをタッチパネル機器携帯用ポーチ１に収納した状態で通話をすることができる。通話をより確実にするためには、透明部６において、スマートフォンのマイク部に対応する部分を含む部分に、多数の孔を設けてもよい。
【００３０】
上述のとおり、タッチパネル機器携帯用ポーチ１は種々のタッチパネル機器を携帯するために好適に用いることが可能であるが、タッチパネル機器以外の物も収納できることは言及するまでもない。
【００３１】
手提げ部８は必ず設ける必要はないが、タッチパネル機器携帯用ポーチ１の携帯性を向上させる観点からは、設ける方が好ましい。また、手提げ部８の形状及び長さ等は特に限定されず、タッチパネル機器携帯用ポーチ１を手で把持するために短い手提げ部８を設けてもよく、タッチパネル機器携帯用ポーチ１を肩にかけるために長めの手提げ部８を設けてもよいが、手提げ部８が長さを調節できる機構を有していることが好ましい。
【００３２】
図３及び図４に、本考案の第二の実施形態に係るタッチパネル機器携帯用ポーチの正面図と底面図とをそれぞれ示す。タッチパネル機器携帯用ポーチ１は本体部２と、タッチパネル機器収納部４と、透明部６とを有し、必要に応じて手提げ部８を備えている。
【００３３】
本考案の第二の実施形態においては、タッチパネル機器収納部４が本体部２の底面部に設けられており、タッチパネル機器収納部４の外側の一部が透明部６となっている。ここで、透明部６はタッチパネル機器収納部４にタッチパネル機器を収納した状態で、当該タッチパネル機器のタッチパネルをタッチパネル機器携帯用ポーチ１の外側から確認できる位置及び大きさで設けられていればよい。なお、タッチパネル機器収納部４及び透明部６が設けられている位置が異なる以外は、第一の実施形態と同様である。
【００３４】
図５及び図６に、本考案の第三の実施形態に係るタッチパネル機器携帯用ポーチの正面図と側面図とをそれぞれ示す。タッチパネル機器携帯用ポーチ１は本体部２と、タッチパネル機器収納部４と、透明部６とを有し、必要に応じて手提げ部８を備えている。
【００３５】
本考案の第三の実施形態においては、タッチパネル機器収納部４が本体部２の側面部に設けられており、タッチパネル機器収納部４の外側の一部が透明部６となっている。ここで、透明部６はタッチパネル機器収納部４にタッチパネル機器を収納した状態で、当該タッチパネル機器のタッチパネルをタッチパネル機器携帯用ポーチ１の外側から確認できる位置及び大きさで設けられていればよい。なお、タッチパネル機器収納部４及び透明部６が設けられている位置が異なる以外は、第一及び第二の実施形態と同様である。
【００３６】
なお、参考のために、図７に、本考案の第一の実施形態に係るタッチパネル機器携帯用ポーチの一実施例の写真を示し、図８に、図７に示すタッチパネル機器携帯用ポーチの一実施例の別の写真を示す。
【００３７】
以上、本考案の代表的な実施形態について説明したが、本考案はこれらのみに限定されるものではなく、種々の設計変更が可能である。１つのタッチパネル機器携帯用ポーチ１に対してタッチパネル機器収納部４は１つとは限らず、２つ以上のタッチパネル機器収納部４を設けてもよい。
【符号の説明】
【００３８】
１・・・タッチパネル機器携帯用ポーチ、
２・・・本体部、
４・・・タッチパネル機器収納部、
６・・・透明部、
８・・・手提げ部。
【図１】
0003185032.tif 000003
【図２】
0003185032.tif 000004
【図３】
0003185032.tif 000005
【図４】
0003185032.tif 000006
【図５】
0003185032.tif 000007
【図６】
0003185032.tif 000008
【図７】
0003185032.tif 000009
【図８】
0003185032.tif 000010